(57)【要約】【課題】表示面積が限られた表示器の画面を有効に活用して、所望する情報を必要なときに表示させる。【解決手段】射出成形機のマンマシンインタフェース部における表示器の表示画面を２分割し、このうちの一方の表示画面を専用のメイン画面Ｍとし、他の残りの表示画面を専用のサブ画面Ｓとする射出成形機の表示装置において、射出成形機を運転しながら成形条件に関する各種設定値を変更するバックグランド編集モードが選択されると、サブ画面Ｓの領域の略全体にバックグランド編集モードが選択されていることを知らせるメッセージを表示させる。【選択図】    図１０
2004148521.tif 000002
【特許請求の範囲】
【請求項１】
射出成形機のマンマシンインタフェースとして機能する表示器の表示画面を２分割し、このうちの一方の表示画面を専用のメイン画面とし、他の残りの表示画面を専用のサブ画面とする射出成形機の表示装置において、
前記射出成形機を運転しながら成形条件に関する各種設定値を変更するバックグランド編集モードが選択されると、前記サブ画面の領域の略全体にバックグランド編集モードが選択されていることを知らせるメッセージを表示させる手段を具備したことを特徴とする射出成形機の表示装置。
【請求項２】
前記バックグランド編集モードが選択されていない状態では、前記サブ画面に当該サブ画面の表示を切換えるサブ画面選択ボタンとしてバックグランド編集時には使用頻度が少ないボタンを表示させることを特徴とする請求項１記載の射出成形機の表示装置。
【請求項３】
前記サブ画面選択ボタンは、前記サブ画面に前記射出成形機の成形工程における稼動状態を表示させる稼動工程表示ボタン，前記サブ画面に前記成形条件に関する各種設定値の変更履歴を表示させる設定履歴表示ボタン，前記サブ画面に前記射出成形機の成形工程においてシーケンス制御される入出力の状態を表示させる入出力モニタ表示ボタン，前記サブ画面に前記射出成形機の成形時におけるヒータ通電率を表示させる通電率表示ボタン，及び前記サブ画面に電卓キーの入力に応じた演算結果を表示する電卓表示部を表示させる電卓ボタンの少なくとも１つを含むことを特徴とする請求項２記載の射出成形機の表示装置。
【請求項４】
射出成形機のマンマシンインタフェースとして機能する表示器の表示画面を２分割し、このうちの一方の表示画面を専用のメイン画面とし、他の残りの表示画面を専用のサブ画面とする射出成形機の表示装置において、
前記射出成形機の成形工程における稼動状態を取得する稼動状態取得手段と、この稼動状態取得手段により取得した前記射出成形機の成形工程における稼動状態を前記表示器のサブ画面に表示させる稼動状態表示手段とを具備したことを特徴とする射出成形機の表示装置。
【請求項５】
射出成形機のマンマシンインタフェースとして機能する表示器の表示画面を２分割し、このうちの一方の表示画面を専用のメイン画面とし、他の残りの表示画面を専用のサブ画面とする射出成形機の表示装置において、
前記成形条件に関する各種設定値の変更履歴を記憶する変更履歴記憶手段と、この変更履歴記憶手段により記憶された変更履歴を最新のものから所定数選択して前記表示器のサブ画面に表示させる変更履歴表示手段とを具備したことを特徴とする射出成形機の表示装置。
【請求項６】
射出成形機のマンマシンインタフェースとして機能する表示器の表示画面を２分割し、このうちの一方の表示画面を専用のメイン画面とし、他の残りの表示画面を専用のサブ画面とする射出成形機の表示装置において、
前記射出成形機の成形工程においてシーケンス制御される入出力の状態を取得する制御状態取得手段と、この制御状態取得手段により取得したシーケンス制御される入出力の状態を前記表示器のサブ画面に表示させる制御状態表示手段とを具備したことを特徴とする射出成形機の表示装置。
【請求項７】
射出成形機のマンマシンインタフェースとして機能する表示器の表示画面を２分割し、このうちの一方の表示画面を専用のメイン画面とし、他の残りの表示画面を専用のサブ画面とする射出成形機の表示装置において、
前記射出成形機の成形時におけるヒータ通電率を取得する通電率取得手段と、この通電率取得手段により取得したヒータ通電率を前記表示器のサブ画面に表示させる通電率表示手段とを具備したことを特徴とする射出成形機の表示装置。
【請求項８】
射出成形機のマンマシンインタフェースとして機能する表示器の表示画面を２分割し、このうちの一方の表示画面を専用のメイン画面とし、他の残りの表示画面を専用のサブ画面とする射出成形機の表示装置において、
電卓キーと、この電卓キーの入力に応じた演算結果を前記サブ画面に表示させる電卓表示手段とを具備したことを特徴とする射出成形機の表示装置。
【発明の詳細な説明】
【０００１】
【発明の属する技術分野】
本発明は、射出成形機の成形条件に関する各種の設定やモニタ値を表示する射出成形機の表示装置に関する。
【０００２】
【従来の技術】
従来の射出成形機のマンマシンインタフェースとして機能する表示装置において、表示器の表示画面を２分割して一方をメイン画面とし、他方をサブ画面とする。そして、メイン画面には、該射出成形機の成形条件設定に要する画面表示データ及び該射出成形機からのモニタリングデータ等を表示し、サブ画面には、メイン画面領域と独立して随時表示したいモニタリングデータ等の各種データを表示するようにして、射出成形機の成形条件設定や運転状況の確認が効率よく行なえるようにしたものは、既に知られている（例えば、特許文献１参照）。
【０００３】
ところで、射出成形機には、射出成形機を運転しながら射出出力，シリンダ温度，金型温度，冷却時間，射出速度，スクリュ回転数等の射出成形機の成形条件に関する各種の設定を行なうことができるバックグランド編集モードが用意されている。このバックグランド編集モードを使用すれば、成形品を生産しながら次工程で生産予定の成形条件における各種設定値を変更できるので、比較的短時間に次工程の準備ができるという利点がある。
【０００４】
ところが、バックグランド編集モードの画面構成は、現在生産（運転）している稼動条件とほとんど同一であり、違いは稼動中の各種モニタリング項目の数値がリアルタイムに変わっていないだけである。従って、正常に射出成形機が稼動しているにも係らず、各種モニタリング項目の数値が変わっていないことを見て、異常と判断する作業者も少なくなかった。
【０００５】
しかしながら、表示器の表示画面を２分割して一方をメイン画面とし、他方をサブ画面とした従来の射出成形機の表示装置においては、表示面積が限られた画面の中に多くの情報が表示されるので、バックグランド編集モードが選択されていることを知らせるための表示領域を大きくとることができず、例えば画面の隅に「編集」という文字を表示させていただけであった。
【０００６】
【特許文献１】
特開２００１−１４５９４７号公報
【０００７】
【発明が解決しようとする課題】
このように、従来のこの種の表示装置においては、バックグランド編集モードが選択されていることを知らせるための表示が小さく、わかりづらかったので、正常に射出成形機が稼動しているにも係らず、各種モニタリング項目の数値が変わっていないことから、異常と判断する作業者も少なくなかった。
【０００８】
同様に、射出成形機の稼動中においては、その成形工程の稼動状態やシーケンス制御される入出力の状態、あるいはヒータ通電率等を必要なときにわかりやすく知りたいという要望があった。また、成形条件に関する各種設定値の変更履歴も簡単に知りたいという要望があった。
【０００９】
しかし、表示器の限られた表示面積の中では、これらの要望を効率的に満足させることができなかった。
【００１０】
本発明はこのような事情に基づいてなされたもので、その目的とするところは、表示面積が限られた表示器の画面を有効に活用して、所望する情報を必要なときに表示させることができる射出成形機の表示装置を提供しようとするものである。
【００１１】
【課題を解決するための手段】
本発明は、射出成形機のマンマシンインタフェースとして機能する表示器の表示画面を２分割し、このうちの一方の表示画面を専用のメイン画面とし、他の残りの表示画面を専用のサブ画面とする射出成形機の表示装置において、射出成形機を運転しながら成形条件に関する各種設定値を変更するバックグランド編集モードが選択されると、サブ画面の領域の略全体にバックグランド編集モードが選択されていることを知らせるメッセージを表示させる手段を備えたものである。このとき、メイン画面の領域には、射出成形機のバックグランド編集される各種設定値やモニタリングデータ等を表示させる。
【００１２】
本発明において、バックグランド編集モードが選択されていない状態では、サブ画面に当該サブ画面の表示を切換えるサブ画面選択ボタンとしてバックグランド編集時には使用頻度が少ないボタンを表示させるようにすると効果的である。
【００１３】
ここで、サブ画面選択ボタンは、サブ画面に射出成形機の成形工程における稼動状態を表示させる稼動工程表示ボタン、成形条件に関する各種設定値の変更履歴を表示させる設定履歴表示ボタン、射出成形機の成形工程においてシーケンス制御された入出力の状態を表示させる入出力モニタ表示ボタン、射出成形機の成形時におけるヒータ通電率を表示させる通電率表示ボタン、サブ画面に電卓キーの入力に応じた演算結果を表示する電卓表示部を表示させる電卓ボタンの少なくとも１つを含むものである。
【００１４】
また、本発明は、前記射出成形機の表示装置において、射出成形機の成形工程における稼動状態を取得する稼動状態取得手段と、この稼動状態取得手段により取得した射出成形機の成形工程における稼動状態を表示器のサブ画面に表示させる稼動状態表示手段とを備えたものである。
【００１５】
また、本発明は、前記射出成形機の表示装置において、成形条件に関する各種設定値の変更履歴を記憶する変更履歴記憶手段と、この変更履歴記憶手段により記憶された変更履歴を最新のものから所定数選択して表示器のサブ画面に表示させる変更履歴表示手段とを備えたものである。
【００１６】
また、本発明は、前記射出成形機の表示装置において、射出成形機の成形工程においてシーケンス制御される入出力の状態を取得する制御状態取得手段と、この制御状態取得手段により取得したシーケンス制御される入出力の状態を表示器のサブ画面に表示させる制御状態表示手段とを備えたものである。
【００１７】
また、本発明は、前記射出成形機の表示装置において、射出成形機の成形時におけるヒータ通電率を取得する通電率取得手段と、この通電率取得手段により取得したヒータ通電率を表示器のサブ画面に表示させる通電率表示手段とを備えたものである。
【００１８】
また、本発明は、前記射出成形機の表示装置において、電卓キーと、この電卓キーの入力に応じた演算結果を前記サブ画面に表示させる電卓表示手段とを備えたものである。
【００１９】
【発明の実施の形態】
以下、本発明の一実施の形態を図面を用いて説明する。
なお、この実施の形態は、電動式射出成形機のマンマシンインタフェースとして機能する表示装置に本発明を適用した場合である。
【００２０】
図１は本実施の形態の要部構成を示すブロック図であり、本実施の形態において、表示装置１０は、操作パネル１１、入力信号コントローラ１２、メモリ部１３、画面表示コントローラ１４、時計部１５及びＶＲＡＭ（Ｖｉｄｅｏ  Ｒａｎｄｏｍ  Ａｃｃｅｓｓ  Ｍｅｍｏｒｙ）１６等によって構成されている。
【００２１】
操作パネル１１には、ＣＲＴディスプレイ，液晶ディスプレイ等の画面表示部を有する表示器１１１と、複数のキーボタンが配設されたキーボード１１２とが設けられている。表示器１１１の画面略全域には、タッチパネルセンサ１１３が設けられている。その画面は、中央より上方で横方向に２分割されており、下側の広い領域をメイン画面領域Ｍとし、上側の狭い領域をサブ画面領域Ｓとしている。メイン画面領域Ｍには、射出成形機２０の成形条件設定に要する画面表示データ及び射出成形機２０からのモニタリングデータ等が表示される。また、サブ画面領域Ｓには、メイン画面領域Ｍと独立して随時表示したいモニタリングデータ等の各種データが表示される。
【００２２】
キーボード１１２には、図２に示すように、「型締・押出」、「射出・計量」、「温度」、「生産」、「モニタ」、「診断」、「支援」、「記録」、「画面ガイド」、「アラーム」、「設定」、「表示」の各キーボタンが配設されている。このうち、「型締・押出」キーボタンＢ１は、単独で操作されると、型締・押出工程の成形条件に関する各種設定値の現在値及び型締・押出工程稼動時のモニタリングデータ等をメイン画面領域Ｍに表示させるものとして機能し、「設定」キーボタンＢ３との同時操作により、射出成形機２０を運転しながら型締・押出工程の各種設定値を変更するバックグランド編集モードの開始を指令するものとして機能する。また、「射出・計量」キーボタンＢ２は、単独で操作されると、射出・計量工程の成形条件に関する各種設定値の現在値及び射出・計量工程稼動時のモニタリングデータ等をメイン画面領域Ｍに表示させるものとして機能し、「設定」のキーボタンＢ３との同時押しにより、射出成形機２０を運転しながら射出・計量工程の各種設定値を変更するバックグランド編集モードの開始を指令するものとして機能する。また、「設定」キーボタンＢ３は、バックグランド編集モード選択時に単独で押下されると、当該バックグランド編集モードの終了を指令し、変更された設定値を実稼動時の成形条件に反映させるものとして機能する。
【００２３】
入力信号コントローラ１２には、前記キーボード１１２のキーボタンが押圧操作されたことによって当該キーボード１１２から出力される信号と、前記表示器１１１の画面がタッチ操作されたことによってタッチパネルセンサ１１３から出力される信号とが入力される。入力信号コントローラ１２は、キーボード１１２及びタッチパネルセンサ１１３からの信号を解析して、その結果を前記画面表示コントローラ１４または射出成形機２０のコントローラ２１に供給するものとなっている。
【００２４】
メモリ部１３には、前記表示器１１１のメイン画面領域Ｍに表示されるメイン画面表示データを記憶するメイン画面表示データメモリ１３１、サブ画面領域Ｓに表示されるサブ画面表示データを記憶するサブ画面表示データメモリ１３２、成形条件に関する各種設定値の設定変更に関する履歴データを記憶する履歴データメモリ１３３等が形成されている。
【００２５】
画面表示コントローラ１４には、入力信号コントローラ１２から画面表示要求指令が入力される。画面表示コントローラ１４は、入力信号コントローラ１２からの画面表示要求指令に基づき、メイン画面表示データメモリ１３１に記憶されているメイン画面表示データとサブ画面表示データメモリ１３２に記憶されているサブ画面表示データとを読み出す。また、射出成形機コントローラ２１から射出成形機２０の成形条件設定値やモニタリングデータを取り込んでメイン画面表示データ及びサブ画面表示データを編集し直す。そして、編集後のメイン画面表示データ及びサブ画面表示データをＶＲＡＭ１６に転送するものとなっている。
【００２６】
時計部１５では、現在の日付及び時刻が計時される。
【００２７】
ＶＲＡＭ１６には、前記画面表示コントローラ１４から転送されるメイン画面表示データ及びサブ画面表示データが上書き格納される。このＶＲＡＭ１６に格納された最新の表示データが表示器１１１のメイン画面領域Ｍ及びサブ画面領域Ｓに表示される。
【００２８】
射出成形機２０は、型締装置や射出装置等の駆動機構としてサーボモータを用いた電動式射出成形機であって、射出成形機コントローラ２１の制御により設定される成形条件に従い、型閉じ、ロックアップ、射出、計量、冷却、型開き、押出の各成形工程を１サイクルとして射出成形加工を行なうものである。
【００２９】
射出成形機コントローラ２１は、例えば成形加工品毎に設定された成形パターン別に、成形条件に関する各種の設定値を記憶した成形設定ファイル２２を備えている。そして、いずれかの成形パターンが選択されると、そのパターンに対応した成形条件の設定値を成形設定ファイル２２から読出し、この設定値に基づいて射出成形機２０の成形加工動作を制御する。このとき、射出成形機２０の成形工程における稼動状態と、シリンダ温度，金型温度，射出速度，スクリュ回転数等の種々のモニタリングデータをリアルタイムで管理する。また、成形工程においてシーケンス制御される入出力（入力：各種スイッチ，押しボタン，リミットスイッチ等、出力：表示ランプ，リレーのオン／オフ，バルブのオン／オフ等）の状態もリアルタイムで管理する。
【００３０】
また射出成形機コントローラ２１は、入力信号コントローラ１２を介して設定値の変更要求があると、その要求に応じて設定値を変更し、変更後の設定値に基づいて射出成形機２０の成形加工動作を制御する。そして、入力信号コントローラ１２を介して設定値の変更確定要求があると、最新の設定値を成形設定ファイル２２に上書き保存するものとなっている。
【００３１】
このように構成された本実施の形態においては、例えば、キーボード１１２の「射出・計量」キーボタンＢ２が単独で操作されると、図３に示すように、表示器１１１のメイン画面領域Ｍには、射出・計量工程の成形条件に関する各種設定値の現在値及び射出・計量工程稼動時のモニタリングデータ等が表示される。
【００３２】
一方、サブ画面領域Ｓには、キーボード１１２のキー操作とは関係なく、通常は、当該サブ画面領域Ｓの表示を切換える複数のサブ画面選択ボタン３１〜４０が表示されている。サブ画面選択ボタン３１〜４０は、「現在値」，「温度」，「モニタテーブル」，「生産」，「稼動工程」，「設定履歴」，「Ｉ／Ｏモニタ」，「通電率」，「電卓」，「非表示」等からなる。
【００３３】
ここで、サブ画面選択ボタン「現在値」３１がタッチ操作されると、サブ画面領域Ｓには、現在の射出成形機２０の状態すなわち射出時間、冷却時間、中間時間、スクリュ位置、ダイプレートの位置、押出位置、射出圧／背圧、型締力、スクリュ回転数等が表示される。この状態で、サブ画面領域Ｓ内の任意の箇所がタッチ操作されると、サブ画面領域Ｓはサブ画面選択ボタンの画面に戻る。
【００３４】
同様に、サブ画面選択ボタン「温度」３２がタッチ操作されると、ホッパの位置に対応する温度，偏差温度などがサブ画面領域Ｓに表示され、サブ画面選択ボタン「モニタテーブル」３３がタッチ操作されると、ショット番号に対応した充填時間、計量時間、取出時間、サイクル時間、最小クッション、保圧切換、射出開始、スクリュ回転数等がサブ画面領域Ｓに表示され、サブ画面選択ボタン「生産」３４がタッチ操作されると、現在までのショット数、そのうちの良品ショット数、残ショット数、総生産数、良品数、不良品数、残生産数、稼働率、ロット達成率、不良率、生産残時間等がサブ画面領域Ｓに表示される。
【００３５】
また、サブ画面選択ボタン「稼動工程」３５がタッチ操作された場合には、サブ画面領域Ｓには、図４に示すように、射出成形機２０の成形工程における稼動状態が表示される。具体的には、タッチパネルセンサ１１３からの信号によりサブ画面選択ボタン「稼動工程」３５がタッチ操作されたことを検知した入力信号コントローラ１２が画面表示コントローラ１４に稼動状態の取得を指令し、この指令を受けた画面表示コントローラ１４が射出成形機コントローラ２１によってリアルタイムで管理されている射出成形機２０の稼動状態を取得して、予めサブ画面表示データメモリ１３２に記憶されている稼動状態表示画面４１を編集したのちＶＲＡＭ１６に転送して、サブ画面領域Ｓに表示させる。このとき、稼動状態の進行に従ってサブ画面領域Ｓの該当する成形工程項目を随時白黒反転することにより稼動状態を表示する。また、異常時は該当する成形工程項目の文字や背景色を変える。なお、成形工程項目の背景色を変える等、白黒反転以外の方法で稼動状態を表示してもよい。
【００３６】
また、サブ画面選択ボタン「設定履歴」３６がタッチ操作された場合には、サブ画面領域Ｓには、図５に示すように、成形条件に関する各種設定値の変更履歴として、変更があった年月日及び時分と、変更された設定値の項目（設定値変更項目）と、設定値が変更された成形パターンの番号（メモリ）と、変更後の設定値（現設定値）と、変更前の設定値（前設定値）とが最新３項目表示される。具体的には、タッチパネルセンサ１１３からの信号によりサブ画面選択ボタン「設定履歴」３６がタッチ操作されたことを検知した入力信号コントローラ１２が画面表示コントローラ１４に設定履歴の表示を指令し、この指令を受けた画面表示コントローラ１４が履歴データメモリ１３３から最新３項目の変更履歴データを選択し、予めサブ画面表示データメモリ１３２に記憶されている設定履歴表示画面５１を編集したのちＶＲＡＭ１６に転送して、サブ画面領域Ｓに表示させる。なお、変更履歴データの項目数は３項目に限定されるものではなく、サブ画面領域Ｓの表示面積に応じて適時設定されるものである。
【００３７】
また、サブ画面選択ボタン「Ｉ／Ｏモニタ」３７がタッチ操作された場合には、サブ画面領域Ｓには、図６に示すように、射出成形機２０の成形工程においてシーケンス制御される入出力の状態が表示される。具体的には、タッチパネルセンサ１１３からの信号によりサブ画面選択ボタン「Ｉ／Ｏモニタ」３７がタッチ操作されたことを検知した入力信号コントローラ１２が画面表示コントローラ１４にシーケンス制御入出力状態の取得を指令し、この指令を受けた画面表示コントローラ１４が射出成形機コントローラ２１によってリアルタイムで管理されている射出成形機２０のシーケンス制御入出力状態を取得して、予めサブ画面表示データメモリ１３２に記憶されている入出力状態表示画面６１を編集したのちＶＲＡＭ１６に転送して、サブ画面領域Ｓに表示させる。
【００３８】
また、サブ画面選択ボタン「通電率」３８がタッチ操作された場合には、サブ画面領域Ｓには、図７に示すように、サブ画面選択ボタン「温度」３２がタッチ操作された時に表示されるホッパの位置に対応する温度及び偏差温度の下に、それぞれヒータの通電率が表示される。具体的には、タッチパネルセンサ１１３からの信号によりサブ画面選択ボタン「通電率」３８がタッチ操作されたことを検知した入力信号コントローラ１２が画面表示コントローラ１４にヒータ通電率の取得を指令し、この指令を受けた画面表示コントローラ１４が射出成形機コントローラ２１によってリアルタイムで管理されている射出成形機２０のモニタリングデータからヒータの測定温度，偏差温度及び通電率を取得して、予めサブ画面表示データメモリ１３２に記憶されているヒータ通電率表示画面７１を編集したのちＶＲＡＭ１６に転送して、サブ画面領域Ｓに表示させる。
【００３９】
また、サブ画面選択ボタン「電卓」３９がタッチ操作された場合には、サブ画面領域Ｓには、図８に示すように、電卓表示部８１と、数値入力ボタン８２と、画面クリアボタン８３とが表示される。ここで、数値入力ボタン８２がタッチ操作されると、電卓キー８４がメイン画面領域Ｍに重ねて表示される。そして、電卓キー８４のタッチ操作による演算式と演算結果が電卓表示部８１に表示される。また、画面クリアボタン８３がタッチ操作されると、サブ画面領域Ｓはサブ画面選択ボタンの画面に戻る。
【００４０】
サブ画面選択ボタン「非表示」４０がタッチ操作された場合には、サブ画面領域Ｓは非表示画面となる。
【００４１】
ところで、これらのサブ画面選択ボタン３１〜４０は、射出成形機２０を運転しながら成形条件に関する各種設定値を変更するバックグランド編集時には使用頻度が少ないボタンである。
【００４２】
そこで、画面表示コントローラ１４は、図９の流れ図に示す処理を実行するものとなっている。すなわち、入力信号コントローラ１２において、キーボード１１２からのキー信号（「型締・押出」キーボタンＢ１と「設定」キーボタンＢ３の信号、または「射出・計量」キーボタンＢ２と「設定」キーボタンＢ３の信号）によりバックグランド編集モードが選択されたことが検知され、画面表示コントローラ１４に対してバックグランド編集モードが指令されると（ＳＴ１）、画面表示コントローラ１４は、射出・計量工程の成形条件に関する各種設定値の現在値及び射出・計量工程稼動時のモニタリングデータ等を射出成形機コントローラ２１から取り込み、射出・計量工程のメイン画面表示データを編集して、ＶＲＡＭ１６に転送する。また、ＳＴ２としてサブ画面表示データメモリ１３２に予め設定されている編集モード通知メッセージ（例えば「編集モードが選択されています。設定値の変更は稼動条件に反映されません」）を読み出し、ＶＲＡＭ１６に転送する。こうすることにより、図１０に示すように、メイン画面領域Ｍには、バックグランド編集で必要な各種設定値やモニタリングデータ等が表示され、サブ画面領域Ｓには、略全体にわたって編集モード通知メッセージが表示される。
【００４３】
その後、入力信号コントローラ１２において、キーボード１１２からのキー信号（「設定」キーボタンＢ３の信号）によりバックグランド編集モードの終了が選択されたことが検知され、画面表示コントローラ１４に対してバックグランド編集モードの終了が指令されると（ＳＴ３）、画面表示コントローラ１４は、ＳＴ４としてサブ画面表示データメモリ１３２からサブ画面選択ボタン３１〜４０の表示データを読出し、ＶＲＡＭ１６に転送する。こうすることにより、サブ画面領域Ｓは、サブ画面選択ボタン３１〜４０の画面に戻る。
【００４４】
このように本実施の形態によれば、射出成形機２０のバックグランド編集モードが選択されると、メイン画面領域Ｍとサブ画面領域Ｓとに２分割された表示画面を有する表示器１１１のサブ画面領域Ｓの略全域に、バックグランド編集モードが選択されていることを知らせるメッセージが表示されるので、操作パネル１１の操作者は、バックグランド編集モードが選択されていることが一目でわかる。これにより、正常に射出成形機が稼動しているにも係らず、各種モニタリング項目の数値が変わっていないことを見て、異常と判断する作業者をなくすことができる。
【００４５】
ここで、実稼動中等の通常状態において、サブ画面領域Ｓに表示されているサブ画面選択ボタン３１〜４０は、バックグランド編集時には使用頻度が少ないボタンとしている。したがって、バックグランド編集モード選択時にサブ画面領域Ｓの表示を上記メッセージに変更しても、メイン画面領域Ｍの表示を確認しながら行なうバックグランド編集作業に支障を来たすことはない。
【００４６】
また、本実施の形態では、サブ画面領域Ｓに表示されているサブ画面選択ボタンとして「稼動工程」ボタン３５を設け、この「稼動工程」ボタン３５がタッチ操作されると、サブ画面領域Ｓに射出成形機２０の成形工程における稼動状態を表示させるようにしている。したがって、操作パネル１１の操作者は、表示面積が限られた表示器１１１の画面を有効に活用して、射出成形機２０の成形工程における稼動状態を知ることができる。
【００４７】
同様に、本実施の形態では、サブ画面選択ボタンとして「設定履歴」ボタン３６を設け、この「設定履歴」ボタン３６がタッチ操作されると、サブ画面領域Ｓに成形条件に関する各種設定値の変更履歴を表示させるようにしたので、操作パネル１１の操作者は、表示面積が限られた表示器１１１の画面を有効に活用して、成形条件に関する各種設定値の変更履歴を知ることができる。
【００４８】
また、本実施の形態では、サブ画面選択ボタンとして「Ｉ／Ｏモニタ」ボタン３７を設け、この「Ｉ／Ｏモニタ」ボタン３７がタッチ操作されると、サブ画面領域Ｓに射出成形機２０の成形工程においてシーケンス制御された入出力の状態を表示させるようにしたので、操作パネル１１の操作者は、表示面積が限られた表示器１１１の画面を有効に活用して、シーケンス制御された入出力の状態も知ることができる。
【００４９】
また、本実施の形態では、サブ画面選択ボタンとして「通電率」ボタン３８を設け、この「通電率」ボタン３８がタッチ操作されると、サブ画面領域Ｓに射出成形機２０の成形時におけるヒータ通電率を表示させるようにしたので、操作パネル１１の操作者は、表示面積が限られた表示器１１１の画面を有効に活用して、射出成形機２０の成形時におけるヒータ通電率をも知ることができる。
【００５０】
なお、この実施の形態では、バックグランド編集モードの開始及びその確定操作をキーボード１１２の各キーボタンＢ１〜Ｂ３で指令する場合を示したが、本発明は、他の操作方法によりこれらの指令を行なうようにしてもよい。
【００５１】
また本発明は、電動式射出成形機のマンマシンインタフェースとして機能する操作パネル１１の表示器１１１に限定されるものではなく、例えば油圧式射出成形機のマンマシンインタフェースとして機能する操作パネルの表示器にも適用できるものである。また、成形工程の１サイクルも、前記実施の形態のものに限定されるものではない。
【００５２】
この他、本発明の要旨を逸脱しない範囲で種々変形実施可能であるのは勿論である。
【００５３】
【発明の効果】
以上詳述したように請求項１乃至３に係る各発明によれば、サブ画面領域を利用してバックグランド編集モードが選択されていることを操作者が一目でわかるように表示させることができ、正常に射出成形機が稼動しているにも係らず、各種モニタリング項目の数値が変わっていないことを見て、異常と判断する作業者をなくすことができる効果を奏する。
【００５４】
特に、請求項２に係る発明によれば、サブ画面領域の表示内容をバックグランド編集モードが選択されていることを操作者が一目でわかるように変更してもバックグランド編集作業に支障を来たさない効果を奏する。
【００５５】
また、請求項３及び４に係る各発明によれば、サブ画面領域を利用して射出成形機の成形工程における稼動状態を表示させることができる。
【００５６】
また、請求項３及び５に係る各発明によれば、サブ画面領域を利用して成形条件に関する各種設定値の変更履歴を表示させることができる。
【００５７】
また、請求項３及び６に係る各発明によれば、サブ画面領域を利用して射出成形機の成形工程においてシーケンス制御される入出力の状態を表示させることができる。
【００５８】
また、請求項３及び７に係る各発明によれば、サブ画面領域を利用して射出成形機の成形時におけるヒータ通電率を表示させることができる。
【００５９】
また、請求項３及び８に係る発明によれば、サブ画面領域を利用して電卓の演算結果を表示させることができる。
【００６０】
したがって、本発明によれば、表示面積が限られた表示器の画面を有効に活用して、所望する情報を必要なときに表示させることができる射出成形機の表示装置を提供することができる。
【図面の簡単な説明】
【図１】本発明の一実施の形態の要部構成を示すブロック図。
【図２】同実施の形態において操作パネルに設けられるキーボードを示す模式図。
【図３】同実施の形態における表示器の一画面例を示す模式図。
【図４】同実施の形態においてサブ画面領域に表示される稼動状態表示画面の一例を示す模式図。
【図５】同実施の形態においてサブ画面領域に表示される設定履歴表示画面の一例を示す模式図。
【図６】同実施の形態においてサブ画面領域に表示される入出力状態表示画面の一例を示す模式図。
【図７】同実施の形態においてサブ画面領域に表示されるヒータ通電率表示画面の一例を示す模式図。
【図８】同実施の形態において表示器の画面に表示される電卓画面の一例を示す模式図。
【図９】同実施の形態の画面表示コントローラが実行する画面自動切換制御の手順を示す流れ図。
【図１０】同実施の形態においてバックグランド編集モード選択時の表示器の一画面例を示す模式図。
【符号の説明】
１０…表示装置
１１…操作パネル
１１１…表示器
１１２…キーボード
１１３…タッチパネルセンサ
１２…入力信号コトンローラ
１３…メモリ部
１４…画面表示コントローラ
１６…ＶＲＡＭ
２０…射出成形機
２１…射出成形機コントローラ
Ｍ…メイン画面領域
Ｓ…サブ画面領域
【図１】
2004148521.tif 000003
【図２】
2004148521.tif 000004
【図３】
2004148521.tif 000005
【図４】
2004148521.tif 000006
【図５】
2004148521.tif 000007
【図６】
2004148521.tif 000008
【図７】
2004148521.tif 000009
【図８】
2004148521.tif 000010
【図９】
2004148521.tif 000011
【図１０】
2004148521.tif 000012